【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
動物生産システムへの可変入力の最適化値を生成するシステムであって、
複数の動物情報入力を受け取り、パフォーマンス予測を生成するように構成されたシミュレータエンジンであって、少なくとも１つの前記動物情報入力は可変入力として指定されるシミュレータエンジンと、
少なくとも１つの最適化基準および動物飼料配合に基づいて前記少なくとも１つの可変入力の最適化値を生成するように構成されたエンタープライズスーパーバイザエンジンとを備えるシステム。
【請求項２】
前記エンタープライズエンジンは少なくとも１つの目標産出物特性の最適化基準に基づいて前記少なくとも１つの可変入力の前記最適化値を生成するように構成される請求項１に記載のシステム。
【請求項３】
前記エンタープライズエンジンは前記少なくとも１つの可変入力の第１および第２の最適化値を生成するように構成され、前記第１の最適化値は前記最適化基準に基づいて生成されてもよく、前記第２の最適化値は前記第１の可変入力の適用後に経験的フィードバックに基づいて生成されてもよい、請求項１に記載のシステム。
【請求項４】
動物飼料原材料情報を受け取り、前記パフォーマンス予測に基づく前記動物飼料原材料から成る前記動物飼料配合を生成するように構成されたフォーミュレータエンジンをさらに含む請求項１に記載のシステム。
【請求項５】
前記少なくとも１つの可変入力に対して最適化値を生成することは、前記少なくとも１つの可変入力に前記変更の予測された影響をもたらすことを含む請求項１に記載のシステム。
【請求項６】
前記可変入力は、動物要因、環境的要因、および経済的要因のうちの１つである請求項１に記載のシステム。
【請求項７】
前記可変入力は環境的要因であり、温度環境、動物密度環境、光周期環境、給餌環境、動物快適性環境、動物構造的環境、および動物微生物環境のうちの少なくとも１つを含む請求項６に記載のシステム。
【請求項８】
前記可変入力は動物要因であり、動物種のタイプ、動物の作業、動物の遺伝子型、および動物の構成のうちの少なくとも１つを含む請求項６に記載のシステム。
【請求項９】
前記可変入力は経済的要因であり、市場タイミング、動物飼料価格、動物産出物評価、および市場の位置のうちの少なくとも１つを含む請求項６に記載のシステム。
【請求項１０】
前記シミュレータエンジンは、前記動物飼料配合情報と少なくとも１つの可変入力を含む前記動物情報入力とに基づいて動物パフォーマンスプロファイルを生成するように構成された動物パフォーマンスシミュレータを含む請求項１に記載のシステム。
【請求項１１】
前記エンタープライズスーパーバイザエンジンは、複数の動物パフォーマンスプロファイルを生成するために、前記可変入力の変動に基づいて前記シミュレータエンジンを作動させるように構成される請求項１０に記載のシステム。
【請求項１２】
前記エンタープライズスーパーバイザは、前記複数の動物パフォーマンスプロファイルへの前記少なくとも１つの最適化基準の適用に基づいて、前記少なくとも１つの可変入力
の最適化値を選択するようにさらに構成される請求項１１に記載のシステム。
【請求項１３】
前記最適化基準は、１日の体重増加、週あたりの体重、飼料コストあたりの生産物の価値、単位スペースあたりの生産物の価値、生存率、環境影響、年間サイクル、動物のサイズ、飼育密度、水交換率、生産の合計バイオマス、および製品形態のうちの少なくとも１つを含む請求項１２に記載のシステム。
【請求項１４】
前記シミュレータエンジンは、少なくとも１つの動物の前記環境に関連付けられている可変入力の変動に基づいて動物パフォーマンスプロファイルを生成するように構成された動物環境パフォーマンスシミュレータをさらに含む請求項１に記載のシステム。
【請求項１５】
前記エンタープライズスーパーバイザエンジンは、複数の動物パフォーマンスプロファイルを生成するために、前記可変入力の変動に基づいて前記シミュレータエンジンを作動させるように構成される請求項１４に記載のシステム。
【請求項１６】
前記エンタープライズスーパーバイザは、前記複数の動物パフォーマンスプロファイルへの前記少なくとも１つの最適化基準の適用に基づいて、前記少なくとも１つの可変入力の好ましい値を選択するようにさらに構成される請求項１５に記載のシステム。
【請求項１７】
前記最適化基準は、排出される窒素廃棄物の単位あたりの生産性、排出されるリンの単位あたりの生産性、バイパス栄養素のバランス、水交換率、および通気速度のうちの少なくとも１つを含む請求項１６に記載のシステム。
【請求項１８】
前記シミュレータエンジンは、少なくとも１つの動物の経済的要因に関連付けられている可変入力の変動に基づいて動物パフォーマンスプロファイルを生成するように構成された動物経済パフォーマンスシミュレータをさらに含む請求項１に記載のシステム。
【請求項１９】
前記エンタープライズスーパーバイザエンジンは、複数の動物パフォーマンスプロファイルを生成するために、前記可変入力の変動に基づいて前記シミュレータエンジンを作動させるように構成される請求項１８に記載のシステム。
【請求項２０】
前記エンタープライズスーパーバイザは、前記複数の動物パフォーマンスプロファイルへの前記少なくとも１つの最適化基準の適用に基づいて、前記少なくとも１つの可変入力の好ましい値を選択するようにさらに構成される請求項１９に記載のシステム。
【請求項２１】
前記最適化基準は、飼料のコストあたりのバイオマスの価値、単位スペースあたりの生産物の価値、労働時間あたりの生産物の価値、投資収益率、運転資本収益率、および生産される生産物キログラムあたりの価値のうちの少なくとも１つを含む請求項２０に記載のシステム。
【請求項２２】
前記シミュレータエンジンは、前記動物飼料配合情報と少なくとも１つの可変入力を含む前記動物情報入力とに基づいて包括的な動物パフォーマンスプロファイルを生成するように構成された、動物パフォーマンスシミュレータ、動物環境パフォーマンスシミュレータ、および動物経済パフォーマンスシミュレータをさらに含む請求項１に記載のシステム。
【請求項２３】
前記エンタープライズスーパーバイザエンジンは、複数の動物パフォーマンスプロファイルを生成するために、前記可変入力の変動に基づいて前記シミュレータエンジンを作動させるように構成される請求項２２に記載のシステム。
【請求項２４】
前記エンタープライズスーパーバイザは、前記複数の動物パフォーマンスプロファイルへの前記少なくとも１つの最適化基準の適用に基づいて、前記少なくとも１つの可変入力の好ましい値を選択するようにさらに構成される請求項２３に記載のシステム。
【請求項２５】
前記最適化基準は、１日の体重増加、週あたりの体重増加、飼料コストあたりの生産物の価値、単位スペースあたりの生産物の価値、生存率、環境影響、年間サイクル、動物のサイズ、飼育密度、水交換率、製品形態、放出されるアンモニア単位あたりの生産性、放出されるリン単位あたりの生産性、水交換率、通気速度、飼料のコストあたりの産出されるバイオマス、飼料のコストあたりのバイオマスの価値、単位スペースあたりの生産物の価値、労働時間あたりの生産物の価値、投資収益率、運転資本収益率、および生産される生産物キログラムあたりの価値のうちの少なくとも１つを含む請求項２４に記載のシステム。
【請求項２６】
前記動物パフォーマンスプロファイルは、動物パフォーマンス、動物環境、動物経済のうちの少なくとも２つに基づいて生成される請求項２２に記載のシステム。
【請求項２７】
動物生産システムへの入力の最適化値を判別する方法であって、
複数の動物情報入力を受け取るステップであって、少なくとも１つの前記動物情報入力は可変入力として指定されるステップと、
前記動物情報入力に基づいて少なくとも１つのパフォーマンス予測を生成するステップと、
前記少なくとも１つのパフォーマンス予測および動物飼料配合と少なくとも１つの最適化基準とに基づいて前記少なくとも１つの可変入力の最適化値を生成するステップとを備える方法。
【請求項２８】
前記少なくとも１つのパフォーマンス予測に基づく前記動物飼料原材料から成る少なくとも１つの動物飼料配合を生成するステップをさらに含む請求項２７に記載の方法。
【請求項２９】
少なくとも１つの最適化基準に従って前記少なくとも１つの動物飼料配合を最適化するステップをさらに含む請求項２８に記載の方法。
【請求項３０】
前記少なくとも１つの可変入力に対して最適化値を生成するステップは、前記少なくとも１つの可変入力に前記変更の影響をもたらすステップを含む請求項２７に記載の方法。
【請求項３１】
前記可変入力は、動物要因、環境的要因、および経済的要因のうちの１つである請求項２７に記載の方法。
【請求項３２】
前記可変入力は環境的要因であり、温度環境、動物密度環境、光周期環境、給餌環境、動物快適性環境、動物構造的環境、および動物微生物環境のうちの少なくとも１つを含む請求項３１に記載の方法。
【請求項３３】
前記可変入力は動物要因であり、動物種のタイプ、動物の作業、動物の遺伝子型、および動物の構成のうちの少なくとも１つを含む請求項３１に記載の方法。
【請求項３４】
前記可変入力は経済的要因であり、市場タイミング、市場価格、および市場の位置のうちの少なくとも１つを含む請求項３１に記載の方法。
【請求項３５】
前記動物飼料配合情報と少なくとも１つの可変入力を含む前記動物情報入力とに基づいて複数の動物パフォーマンスプロファイルを生成するステップをさらに含む請求項２８に記載の方法。
【請求項３６】
前記少なくとも１つの可変入力の変動に基づいて複数の動物パフォーマンスプロファイルを生成するステップをさらに含む請求項３５に記載の方法。
【請求項３７】
前記複数の動物パフォーマンスプロファイルへの前記少なくとも１つの最適化基準の適用に基づいて、前記少なくとも１つの可変入力の好ましい値を選択するステップをさらに含む請求項３６に記載の方法。
【請求項３８】
前記最適化基準は、１日の体重増加、週あたりの体重、飼料コストあたりの生産物の価値、単位スペースあたりの生産物の価値、生存率、環境影響、年間サイクル、動物のサイズ、飼育密度、水交換率、および製品形態のうちの少なくとも１つを含む請求項３７に記載の方法。
【請求項３９】
少なくとも１つの動物の前記環境に関連付けられている可変入力の変動に基づいて動物パフォーマンスプロファイルを生成するステップをさらに含む請求項２７に記載の方法。
【請求項４０】
前記少なくとも１つの可変入力の変動に基づいて複数の動物パフォーマンスプロファイルを繰り返し生成するステップをさらに含む請求項３９に記載の方法。
【請求項４１】
前記複数の動物パフォーマンスプロファイルへの前記少なくとも１つの最適化基準の適用に基づいて、前記少なくとも１つの可変入力の好ましい値を選択するステップをさらに含む請求項４０に記載の方法。
【請求項４２】
前記最適化基準は、排出されるアンモニアの単位あたりの生産性、排出されるリンの単位あたりの生産性、水交換率、および通気速度のうちの少なくとも１つを含む請求項４１に記載の方法。
【請求項４３】
少なくとも１つの動物の経済要因に関連付けられている可変入力の変動に基づいて動物パフォーマンスプロファイルを生成するステップをさらに含む請求項２７に記載の方法。
【請求項４４】
前記少なくとも１つの可変入力の変動に基づいて複数の動物パフォーマンスプロファイルを生成するステップをさらに含む請求項４３に記載の方法。
【請求項４５】
前記複数の動物パフォーマンスプロファイルへの前記少なくとも１つの最適化基準の適用に基づいて、前記少なくとも１つの可変入力の最適化値を生成するステップをさらに含む請求項４４に記載の方法。
【請求項４６】
前記最適化基準は、飼料のコストあたりのバイオマスの価値、単位スペースあたりの生産物の価値、労働時間あたりの生産物の価値、投資収益率、運転資本収益率、および生産される生産物キログラムあたりの価値のうちの少なくとも１つを含む請求項４５に記載の方法。
【請求項４７】
少なくとも１つの可変入力と、動物パフォーマンスプロファイル、動物環境パフォーマンスプロファイル、および動物経済パフォーマンスプロファイルのうちの少なくとも２つとを含む前記動物情報入力に基づいて包括的な動物パフォーマンスプロファイルを生成するステップをさらに含む請求項２７に記載の方法。
【請求項４８】
前記少なくとも１つの可変入力の変動に基づいて複数の動物パフォーマンスプロファイルを生成するステップをさらに含む請求項４７に記載の方法。
【請求項４９】
前記複数の動物パフォーマンスプロファイルへの前記少なくとも１つの最適化基準の適用に基づいて、前記少なくとも１つの可変入力の最適化値を生成するステップをさらに含む請求項４８に記載の方法。
【請求項５０】
前記最適化基準は、１日の体重増加、週あたりの体重、飼料コストあたりの生産物の価値、単位スペースあたりの生産物の価値、生存率、環境影響、年間サイクル、動物のサイズ、飼育密度、水交換率、製品形態、放出されるアンモニア単位あたりの生産性、放出されるリン単位あたりの生産性、水交換率、通気速度、飼料のコストあたりのバイオマスの価値、単位スペースあたりの生産物の価値、労働時間あたりの生産物の価値、投資収益率、運転資本収益率、および生産される生産物キログラムあたりの価値のうちの少なくとも１つを含む請求項４９に記載の方法。
【請求項５１】
動物飼料配合を生成するシステムであって、
複数の動物情報入力を受け取り、前記動物情報入力に基づいて動物の必要量を生成するように構成されたシミュレータエンジンと、
複数の動物飼料原材料入力を受け取り、前記動物の必要量に基づく前記動物飼料原材料から成る少なくとも１つの動物飼料配合を生成するように構成されたフォーミュレータエンジンであって、少なくとも１つの前記動物飼料原材料入力は可変入力として指定されるフォーミュレータエンジンと、
少なくとも１つの最適化基準に従って前記少なくとも１つの動物飼料配合を最適化するように構成され、前記少なくとも１つの最適化基準に基づいて前記少なくとも１つの可変入力の最適化値を生成するようにさらに構成されたエンタープライズスーパーバイザエンジンとを備えるシステム。
【請求項５２】
前記少なくとも１つの可変入力に変更を提案することは、前記少なくとも１つの可変入力に前記変更の影響をもたらすことを含む請求項５１に記載のシステム。
【請求項５３】
前記可変入力は、原材料の前記栄養素含有量である請求項５１に記載のシステム。
【請求項５４】
前記シミュレータエンジンは、前記動物飼料配合情報と少なくとも１つの可変入力を含む前記動物情報入力とに基づいて動物パフォーマンスプロファイルを生成するように構成された動物パフォーマンスシミュレータをさらに含む請求項５１に記載のシステム。
【請求項５５】
前記エンタープライズスーパーバイザエンジンは、複数の動物パフォーマンスプロファイルを生成するために、前記可変入力の変動に基づいて前記シミュレータエンジンを作動させるように構成される請求項５４に記載のシステム。
【請求項５６】
前記エンタープライズスーパーバイザは、前記複数の動物パフォーマンスプロファイルへの前記少なくとも１つの最適化基準の適用に基づいて、前記少なくとも１つの可変入力の好ましい値を選択するようにさらに構成される請求項５５に記載のシステム。
【請求項５７】
前記最適化基準は、１日の体重増加、週あたりの体重、飼料コストあたりの生産物の価値、単位スペースあたりの生産物の価値、生存率、環境影響、年間サイクル、動物のサイズ、飼育密度、水交換率、および製品形態のうちの少なくとも１つを含む請求項５６に記載のシステム。
【請求項５８】
目的関数プログラムを内部に有し、飼料配合入力を受け取るように構成された最適化エンジンと、
少なくとも１つの可変入力を含む動物情報入力を受け取り、飼料配合入力を受け取り、モデリング出力を前記最適化エンジンに提供するように構成された動物生産モデリングシ
ステムとを備え、
前記最適化エンジンは、前記モデリング出力に基づいて前記少なくとも１つの可変入力の最適化解を提供するように目的関数を最適化する、動物生産最適化システム。
【請求項５９】
１つまたは複数の可変入力のユーザーによる前記選択を可能にするように構成されたユーザーインターフェイスをさらに含む請求項５８に記載の動物生産最適化システム。
【請求項６０】
前記飼料配合入力を生成するように構成されたフォーミュレータエンジンをさらに含む請求項５８に記載の動物生産最適化システム。
【請求項６１】
前記目的関数の最適化は、前記１つまたは複数の可変入力の変動に基づいてモデリング出力を繰り返し生成することを含む請求項５８に記載の動物生産最適化システム。
【請求項６２】
前記可変入力は、動物要因、環境的要因、および経済的要因のうちの１つである請求項５８に記載の動物生産最適化システム。
【請求項６３】
前記可変入力は環境的要因であり、温度環境、動物密度環境、光周期環境、給餌環境、動物快適性環境、動物構造的環境、および動物微生物環境のうちの少なくとも１つを含む請求項６２に記載の動物生産最適化システム。
【請求項６４】
前記可変入力は動物要因であり、動物種のタイプ、動物の作業、動物の遺伝子型、および動物の構成のうちの少なくとも１つを含む請求項６２に記載の動物生産最適化システム。
【請求項６５】
前記可変入力は経済的要因であり、市場タイミング、動物産出物評価、および市場の位置のうちの少なくとも１つを含む請求項６２に記載の動物生産最適化システム。
【請求項６６】
動物生産最適化システムへの可変入力の最適化値を生成する方法であって、
少なくとも１つの可変入力を含む動物情報入力を受け取るステップと、
前記動物情報入力に基づいてモデリング出力を生成するステップと、
前記目的関数への飼料配合入力を受け取るステップと、
前記モデリング出力および前記飼料配合入力に基づいて目的関数を生成するステップと、
前記少なくとも１つの可変入力の最適化値を提供するように前記目的関数を最適化するステップとを備える方法。
【請求項６７】
ユーザーによる１つまたは複数の可変入力の選択を受け取るステップをさらに含む請求項６６に記載の方法。
【請求項６８】
前記目的関数を最適化するステップは、前記１つまたは複数の可変入力の変動に基づいてモデリング出力を繰り返し生成するステップを含む請求項６６に記載の方法。
【請求項６９】
前記可変入力は、動物要因、環境的要因、および経済的要因のうちの１つである請求項６６に記載の方法。
【請求項７０】
前記可変入力は環境的要因であり、温度環境、動物密度環境、光周期環境、給餌環境、動物快適性環境、動物構造的環境、および動物微生物環境のうちの少なくとも１つを含む請求項６９に記載の方法。
【請求項７１】
前記可変入力は動物要因であり、動物種のタイプ、動物の作業、動物の遺伝子型、およ
び動物の構成のうちの少なくとも１つを含む請求項６９に記載の方法。
【請求項７２】
前記可変入力は経済的要因であり、市場タイミング、動物産出物評価、および市場の位置のうちの少なくとも１つを含む請求項６９に記載の方法。